(57)【特許請求の範囲】
【請求項１】
建屋（Ｔ）内を、石抜装置（３１）及び精米装置（２）を配置する機械室（４）と、操作盤（９）を配置する操作室（１１）とに仕切壁（１０）で前後に仕切り、
操作室（１１）の正面側には正面外壁（１２）及びドア（２５）を設け、正面外壁（１２）の上方から前側に向かって軒部（１３）を張り出す構成とし、ドア（２５）の上方の正面外壁（１２）には吸気口（１６）を設け、
軒部（１３）の軒先部に電飾看板（２０）を設け、
操作室（１１）の天井部に吸気口（１６）と吸入外気を機械室（４）に供給する供給口（１７）とを連通する吸気室（１５）を設け、
吸気室（１５）の前端部に吸気口（１６）のフィルタ（２１）を設けたことを特徴とするコイン精米機。
【発明の詳細な説明】
【技術分野】
【０００１】
この発明は、建屋式のコイン精米機に関する。
【背景技術】
【０００２】
コイン精米機のおいて、籾摺装置の風選別部の吸引排塵機の外気を、投入ホッパの側部の外壁に形成の吸気口から吸入する技術（例えば、特許文献１参照）がある。
【先行技術文献】
【特許文献】
【０００３】
【特許文献１】特開２００１−１９８４７８号公報
【発明の概要】
【発明が解決しようとする課題】
【０００４】
特許文献１においては、コイン精米機の投入用のホッパは、床面近くの低位置に、しかも建屋外壁面近くの位置に配置されることが多く、従ってこのホッパに近い外壁部に吸気口を設ける形態では、雨水が入り易くなる。
【課題を解決するための手段】
【０００５】
請求項１に記載の発明は、
建屋（Ｔ）内を、石抜装置（３１）及び精米装置（２）を配置する機械室（４）と、操作盤（９）を配置する操作室（１１）とに仕切壁（１０）で前後に仕切り、
操作室（１１）の正面側には正面外壁（１２）及びドア（２５）を設け、正面外壁（１２）の上方から前側に向かって軒部（１３）を張り出す構成とし、ドア（２５）の上方の正面外壁（１２）には吸気口（１６）を設け、
軒部（１３）の軒先部に電飾看板（２０）を設け、
操作室（１１）の天井部に吸気口（１６）と吸入外気を機械室（４）に供給する供給口（１７）とを連通する吸気室（１５）を設け、
吸気室（１５）の前端部に吸気口（１６）のフィルタ（２１）を設けたことを特徴とするコイン精米機の構成とする。
【０００６】
【発明の効果】
【０００７】
請求項１に記載の発明により、軒部（１３）で雨水を阻止することができるため、雨水が吸気口（１６）に入り込むのを防止できる。また、吸気室（１５）の前端部にフィルタ（２１）を設けたことでフィルタ（２１）のメンテナンスを行い易い。また、フィルタ（２１）の目詰まり状態が視認し易い。
【０００８】
また、電飾看板（２０）に昆虫類の飛来を受けるが、電飾看板（２０）を吸気口（１６）から離れた軒部（１３）の軒先部に設けるため、吸気口（１６）に昆虫が入り込み難い。
【０００９】
また、フィルタ（２１）によってろ過された外気を機械室（４）内に供給することができる。
また、操作室（１１）の天井部に吸気口（１６）と吸入外気を機械室（４）に供給する供給口（１７）とを連通する吸気室（１５）を設けることで機械室（４）内の騒音が操作室（１１）に伝播し難い。
【図面の簡単な説明】
【００１０】
【図１】コイン精米機の平面図
【図２】側面から見たコイン精米機の内部を説明する図
【図３】側面から見た機械室の内部を説明する図
【図４】建屋の側断面図。
【図５】籾摺、精米行程のフローチャート。
【図６】吸気室を示す斜視図。
【図７】吸気室の別実施の形態の側面図。
【発明を実施するための形態】
【００１１】
図面に基づいて、コイン精米機は、建屋Ｔを使用して、内部を仕切壁１０で前後に仕切り、正面側に精米利用者が出入りして運転操作する操作室１１を形成し、この奥側に籾摺装置１や精米装置２、及びこれらに付帯する機器、装置等を配置構成する機械室４を形成する。操作室１１は、正面外壁１２と、奥側の仕切壁１０と、左右両側の側壁２２と、天井１４によって形成されて、正面外壁１２部にドア口２５を設けて、精米利用者はこのドア口２５を開いて操作室１１に出入りして精米運転することができる。又、建屋Ｔは屋根２３を有し、この屋根２の下方の適宜間隔位置に天井１４を設けている。
【００１２】
図例では、操作室１１にのみ一部乃至全面に亘って天井１４を設けた形態としている。この天井１４と上側の屋根２３との間の間隔の空間２４を利用して吸気室１５を構成している。
【００１３】
操作室１１の仕切壁１０には、中央上部に操作盤９を設けて、精米料金を投入する料金投入器（コインメック）や、籾摺、精米を運転開始するための操作スイッチ等を有して、これらを所定の手順で操作選択することによって、持込精米量に応じた時間の籾摺、乃至精米運転を自動的に行うことができ、精米目的の白米を取出すことができる。仕切壁１０の左右一側端寄り位置には籾米や玄米等を持込投入する投入ホッパ２７の籾玄米投入口５を形成し、他側端寄り位置に白米を取出す白米ホッパ３０の白米取出口６を形成する。
【００１４】
籾玄米投入口５の手前下部には持込精米袋を受ける袋受台２６を設け、投入ホッパ２７に供給された籾、乃至玄米は、この投入ホッパ２７底部のオーガ２８の駆動によって奥側の第一昇降機２９へ持込むことができる。又、精米利用者は、この白米ホッパ３０の取出口から取出される白米を袋詰して持帰えることができる。
【００１５】
機械室４には、籾摺装置１をインペラ形態として構成し、精米装置２を螺旋転子形態として構成している。又、前記籾摺装置１と精米装置２との各行程間に石抜装置３１を配置し、精米装置２から発生する糠を吸引処理する糠処理部３２等を配置する。
【００１６】
投入ホッパ２７に籾を投入したときには、第一昇降機で籾米を揚穀し、シュータ３３を経てインペラ形態の籾摺装置１へ供給する。そして、インペラの回転によって衝撃脱ぷして、摺出米をシュータ４１から風選装置３４へ供給して、吸引排塵機３で玄米と籾殻とに風選する。この風選装置３４で選別された玄米は、シュータ３５を経て石抜装置３１へ流下供給して、傾斜揺動選別盤の上面を流動させることによって比重選別させて、比重の大きい砂、礫を石抜口３６へ排出させ、比重の小さい玄米を玄米口３７から第二昇降機３８へ流入させる。
【００１７】
風選装置３４には、選別風を吸引して排出吸引排塵機３が設けられ、排風筒３９を機械室４の後壁４０から外側へ貫通する。
吸引排塵機３は、摺出米を風選する風選装置３４の選別風路４２に選別風を流して、この摺出米の籾殻や塵埃等を吸引排除するもので、この選別風路４２の基端部には吸引口４３を形成して、機械室４の内気を吸引して選別風とする。
【００１８】
石抜装置３１で石抜された玄米は、第二昇降気３８を経て精米装置２へ供給されて精米される。精米された白米は白米ホッパ３０に取出され、精米装置２で発生した糠は、糠吸引ファン４８により糠処理部３２へ空気搬送され、サイクロン４４及び糠筒４５を経て、各糠袋４６へ搬送されて袋詰される。
【００１９】
玄米を籾玄米投入口５から投入ホッパ２７へ投入して精米作用を行う場合は、この玄米を第一昇降機２９からシュータ３３を経てインペラ形態の籾摺装置１へ搬入させながら、このインペラの回転によって玄米搬送して、この風選装置３４を通して石抜装置３１へ搬送供給する形態とする。この場合は、インペラの高速回転による玄米損傷を少なくするため、前記操作盤９における操作スイッチ８によって玄米の精米モードを指定することによって、インペラの回転を低速位置に減速連動して、単に揚穀搬送の作用を行わせる形態とすることができる。
【００２０】
操作室１１の正面外壁１２上部には、軒下周り適宜長さ及び深さに張出して覆う軒部１３を形成し、操作室１１の天井１４部に沿ってこの全幅、又は一部幅に亘って形成する吸気室１５の吸気口１６を軒部１３内に開口連通し、この吸気室１５の奥端口１７を機械室４に連通させて、吸引排塵機３の吸引外気を軒部１３の下方の空間に形成する軒空間１８部から吸入させる構成とする。
【００２１】
籾摺装置１や運転によって発生する籾殻は風選選別を行う吸引排塵機３の駆動によって吸引選別されて建屋外へ排出される。また精米運転で発生する糠は糠吸引ファン４８による空気搬送で糠処理部３２へ搬送処理される。
【００２２】
籾摺装置１の吸引排風機３や糠吸引ファン４８による吸引風は、操作室１１の正面外壁１２の外側上部に位置する吸気口１８から外気を吸入して、吸気口１６から操作室１１の天井１４と建屋Ｔの屋根２３との間の吸気室１５を経て奥端口１７を通過して機械室４内へ吸引される。
【００２３】
又、吸気口１６の正面に対向して垂下した軒部１３の前縁部１９に沿って電飾看板２０を設ける。
前記コイン精米機の建屋の正面外壁１２の上方部に張出形成される軒部１３は、単なる屋根の軒を突出させただけの形態ではなく、この軒下に適宜高さに垂下の前縁部１９を形成して、帽子状形態に構成するもので、この前縁部１９の正面に電飾看板２０を設ける。また、この電飾看板２０を軒先部に形成して前縁部１９とし構成することもできる。このような軒部１３の電飾看板２０は電光により昆虫類の飛来を受けるが、吸気口１６は、この電飾看板２０、及び軒部１３前縁部１９の裏側内部に形成されるため、昆虫の飛来、及び吸気室１５内への侵入を阻止する。
【００２４】
更には、前記軒部１３の吸気口１６部にフィルタ２１を設ける。
前記のように機械室４の吸引排塵機３の駆動によって、前記軒部１３で覆われた軒空間１８から外気を吸入して、操作室１１上方の天井１４部の吸気室１５を経てこの機械室４内へ吸引する。このときこの軒空間１８、又は吸気室１５の前端に設ける吸気口１６部にはフィルタ２１を設け、このフィルタ２１によって吸入外気が濾過される。このフィルタ２１によって濾過されたきれいな外気が機械室４の選別風として供給される。また、長時間の運転によりこのフィルタ２１が目詰りすると、前記軒空間１８、又は吸気口１６から取外して清掃する。フィルタ２１は奥端口１７側に設けても良いが、メンテナンスを考慮すると吸気口１６に設けるのが望ましい。
【００２５】
吸気室１５は、図６に示すように、建屋の操作室１１の天井１４部、乃至天井裏間隔部２４に、方形断面形状の吸気室１５を設けて、この正面側の吸気１６を正面外壁１２上部に開口し、奥端口１７を仕切壁１０上端の機械室４に開口連通する形態である。これら吸気室１５の外周部の天井１４裏間隔部２４は、少なくとも前端部の吸気口１６周りの前壁４９で仕切閉鎖されて、この前端ダクト口１６においてのみ正面側の軒部１３の内側部に連通する構成としても良い。
【００２６】
あるいは、天井裏間隔部２４を操作室１１の全幅にわたって吸気室１５とすることで、吸引ダクト１５の断面積を広く形成して、吸引抵抗を小さくして騒音を低減することができ、吸気口１８からの雨水等の吸引を少なくすることもできる。この構成だと、前記操作室１１の天井１４部に構成の吸気室１５を、単に正面外壁１２上部の軒部１３内に連通させるだけの構成を主体とするものである簡潔であり、吸気室１５に特別の部材を用いないため、安価に吸気室１５を形成することができる。
【００２７】
また吸気室１５は、図７に示すように、吸気室１５の前端ダクト口１６の外側部に上下Ｕ字状形態に屈曲する吸気風路５０を形成した吸気ボックス５１を設けることで、吸気口１８部の吸引騒音を軽減し、吸気風路５０の底部に虫や、塵埃等を沈下させて防塵対策を簡易に構成することもできる。この吸気ボックス５１の前側に軒部１３の前縁部１９を位置させて、これらの前後間隔部に吸気口１８を形成して、前記Ｕ字状の吸気風路５０の上端部に連通させている。
【００２８】
また吸気室１５は、吸引ダクトの形態で操作室１１の天井１４部の建屋Ｔの屋根２３との間の天井裏間隔２４に設ける構成としてもよい。
本実施の形態で記載した各種吸気室の構成の効果について、以下記載する。
【００２９】
機械室４の装置各部の内、吸引排塵機３の騒音が特に大きい。本実施の形態で示す各種吸気室１５の構成にすることで、吸引排塵機３の騒音が操作室１１に伝播しにくい。また、建屋外側への騒音も低減され、建屋の近隣への騒音を低減できる。また、雨水が軒部１３及び軒部１３の前縁部１９により吸気室１５に入り込むのを阻止することができる。また、天井裏間隔２４をそのまま吸気室１５とすることで特別な部材を要さない。フィルタ２１を吸気室１５の前端の吸気口１６に設けることで、管理者のメンテナンスがし易い。また、フィルタ２１の目詰り状態が建屋の外側から視認し易い。また、吸気室１５内に昆虫の死骸等が溜まりにくい。
【符号の説明】
【００３０】
１  籾摺装置
２  精米装置
３  吸引排塵機
４  機械室
５  籾玄米投入口
６  白米取出口
７  料金投入器
９  操作盤
１０  仕切壁
１１  操作室
１２  正面外壁
１３  軒部
１４  天井
１５  吸気室
１６  吸気口
１７  奥端口
１８  軒空間
１９  前縁部
２０  電飾看板
２１  フィルタ
【図１】
0005708709.tif 000002
【図２】
0005708709.tif 000003
【図３】
0005708709.tif 000004
【図４】
0005708709.tif 000005
【図５】
0005708709.tif 000006
【図６】
0005708709.tif 000007
【図７】
0005708709.tif 000008